(57)【要約】【課題】主制御基板ユニットと中継基板ユニットとを背面板にコンパクト且つ確実に固定できる遊技機の提供。【解決手段】主制御基板ユニット４１には、凹み部４４ａが形成される。中継基板ユニット４２には、主制御基板ユニット４１に隣接する一方の端部側に突条部４６ａが形成される。突条部４６ａが凹み部４４ａに挿入されて、主制御基板ユニット４１により中継基板ユニット４２の一部が固定される。また、中継基板ユニット４２はねじ取付部４６ｂを有し、ねじ取付部４６ｂに取り付けられるねじ９０によってねじ止めされる。こうして、中継基板ユニット４２はねじ９０に加えて、主制御基板ユニット４１を利用して背面板１０ａに固定される。こうすると、中継基板ユニット４２にねじ９０を取り付ける取付部を十分に確保することが難しい場合でも、ねじ９０と主制御基板ユニット４１との協働により、中継基板ユニット４２はコンパクト且つ確実に固定される。【選択図】図４
2018161406.tif 000002
【特許請求の範囲】
【請求項１】
被固定部材に固定され、係合部と、一方向に対して前記係合部に合わさることで係合される被係合部の一方を有する第一基板ユニットと、
前記第一基板ユニットに隣接され、前記係合部及び前記被係合部の他方を有する第二基板ユニットと、
前記第二基板ユニットを前記係合部及び前記被係合部の他方から離間された位置で前記被固定部材に係着する係着部材と、を備え、
前記第二基板ユニットは、前記第一基板ユニットの前記係合部及び前記被係合部の一方に、前記第二基板ユニットの前記係合部及び前記被係合部の他方が係合された状態で、前記係着部材により移動不能に係着される、
ことを特徴とする遊技機。
【請求項２】
前記第一基板ユニットは、電子部品を実装した基板を収納した収納ケースと、前記収納ケースを取り付けて前記被固定部材に固定される取付ベース部材とを有し、
前記第一基板ユニットの前記係合部及び前記被係合部の一方は、前記取付ベース部材に形成されている、
ことを特徴とする請求項１に記載の遊技機。
【発明の詳細な説明】
【技術分野】
【０００１】
本発明は、パチンコ機やスロットマシン等の遊技機に関する。
【背景技術】
【０００２】
例えばスロットマシン（回胴式遊技機）などの遊技機では、図柄が配列された複数のリールへの遊技者による回転開始操作を契機として、内部抽選を行うとともに複数のリールの回転を開始させる制御や、遊技者による回転停止操作を契機として、内部抽選の結果に基づいて複数のリールの回転を停止させる制御などを行っている。また、リールが停止した状態における有効ライン上の図柄組合せを検出し、その図柄組合せに応じて再遊技（リプレイ）、小役の払出しあるいはハズレなどを判定して、この判定結果に基づいて再遊技の準備やメダル等の払出しなどの制御も行っている。遊技機内には、このような内部抽選、リールの回転や停止、メダルの払い出しなどの遊技制御を行うメイン基板を有する主制御基板ユニットが配設されている。
【０００３】
また、遊技機は遊技の進行に準じて所定の演出制御を行うために、液晶パネルや演出用表示ランプ（所謂、電飾）、スピーカーや音源等の様々な演出デバイスを備えている。遊技機内には、これら演出デバイスの統括制御を行うサブ基板を有した副制御基板ユニットが配設されている。サブ基板は、メイン基板からのコマンドに従って各々の演出デバイスを制御して、遊技の進行状況に応じた演出を実行させる。
【０００４】
さらに、遊技機内には、例えば照明用のＬＥＤを搭載した基板、ディスプレイ用の基板、スピーカー等が接続される基板、外部への信号の出力用の基板などの各種基板と、メイン基板やサブ基板とを信号用ケーブルで接続し各種信号の送受信を可能とする中継基板を有する中継基板ユニットが配設されている。
【０００５】
上記したメイン基板には、内部抽選等の処理を行う遊技制御プログラムを記憶したＲＯＭが実装されている。そのため、メイン基板は樹脂製の透明な収納ケース内に収納されることで、遊技機に取り付けられた状態でＲＯＭに外部から不正にアクセスできないようにしている。また、ＲＯＭへの不正アクセスを防ぐために、主制御基板ユニットは簡単に取り外しできないよう、例えば筐体の背面板などの被固定部材にねじ止めによって確実に固定されている（特許文献１）。具体的に、主制御基板ユニットは例えば四隅などにバランスよく配置されたねじによって多点止めされている。
【先行技術文献】
【特許文献】
【０００６】
【特許文献１】特開２０１１−３６３０４号公報
【発明の概要】
【発明が解決しようとする課題】
【０００７】
ところで、遊技機内において主制御基板ユニット、副制御基板ユニット、中継基板ユニットを配設可能な領域には限りがある。そこで、これらの基板ユニットをできる限りコンパクトに配置するために、これらの基板ユニットを互いに隣接させて配設したいという要望がある。しかしながら、基板ユニットを隣接させねじ止めによって確実に固定しようとすると、どうしてもねじが邪魔になることから、基板ユニットをコンパクトに配置するのが難しかった。
【０００８】
本発明は上記問題に鑑みてなされ、隣接された第一基板ユニットと第二基板ユニットとを被固定部材にコンパクト且つ確実に固定することができる遊技機の提供を目的とするものである。
【課題を解決するための手段】
【０００９】
本発明の請求項１に係る遊技機（１）は、被固定部材（１０ａ）に固定され、係合部（４６ａ）と、一方向に対して前記係合部に合わさることで係合される被係合部（４４ａ）の一方を有する第一基板ユニット（４１）と、前記第一基板ユニットに隣接され、前記係合部（４６ａ）及び前記被係合部の他方を有する第二基板ユニット（４２）と、前記第二基板ユニットを前記係合部及び前記被係合部の他方から離間された位置で前記被固定部材に係着する係着部材（９０）と、を備え、前記第二基板ユニットは、前記第一基板ユニットの前記係合部及び前記被係合部の一方に、前記第二基板ユニットの前記係合部及び前記被係合部の他方が係合された状態で、前記係着部材により移動不能に係着される、ことを特徴とする。
【００１０】
前記第一基板ユニットは、電子部品を実装した基板（８０）を収納した収納ケース（４３）と、前記収納ケースを取り付けて前記被固定部材に固定される取付ベース部材（４４）とを有し、前記第一基板ユニットの前記係合部及び前記被係合部の一方は、前記取付ベース部材に形成されている、ことを特徴とする。
【００１１】
なお、上記カッコ内の符号は、図面と対照するためのものであるが、これは、発明の理解を容易にするための便宜的なものであり、特許請求の範囲の構成に何等影響を及ぼすものではない。
【発明の効果】
【００１２】
請求項１に係る本発明によると、第二基板ユニットは隣接する第一基板ユニットと、係着部材とにより被固定部材に固定される。即ち、第二基板ユニットを被固定部材に固定する場合、第二基板ユニットの係合部が第一基板ユニットの被係合部に係合されるか、あるいは第二基板ユニットの被係合部に第一基板ユニットの係合部が係合されるかして、第二基板ユニットは第一基板ユニットと係合状態になる。そして、第二基板ユニットは、係合状態が維持されたまま係着部材により被固定部材に係着される。このように、第一基板ユニットと第二基板ユニットとを隣接させて、第二基板ユニットを固定するのに、係着部材を用いることに加えて第一基板ユニットを利用する。こうすると、第一基板ユニットと第二基板ユニットとをコンパクトに配置したうえで、例え第二基板ユニット側に係着部材をバランスよく配置できなくても、隣接する第一基板ユニットと係着部材との協働によって、第一基板ユニットだけでなく第二基板ユニットも確実に固定することができる。
【００１３】
請求項２に係る本発明によると、第一基板ユニットにおいて被固定部材に固定される取付ベース部材に係合部又は被係合部の一方が形成される。これにより、取付ベース部材による第一基板ユニットの確実な固定と、第一基板ユニットを利用した第二基板ユニットの確実な固定とを容易に実現できる。
【図面の簡単な説明】
【００１４】
【図１】本実施形態のスロットマシンの外観構成を示す斜視図。
【図２】スロットマシンの筐体内を示す正面図。
【図３】主制御基板ユニットと中継基板ユニットを示す正面図。
【図４】主制御基板ユニットと中継基板ユニットを示す側面図。
【図５】主制御基板ユニットを示す斜視図。
【図６】中継基板ユニットを示す斜視図。
【発明を実施するための形態】
【００１５】
以下、本発明に係る実施形態について説明する。なお、以下に説明する実施形態は、特許請求の範囲に記載された本発明の内容を限定するものではない。また、本実施形態で説明される構成の全てが、本発明の必須構成要件であるとは限らない。さらに、以下の説明において基本的に「前後」とは、遊技機の前側に遊技者が居る場合に、遊技者側が「前」で、遊技機側が「後」を意味し、「上下」とは遊技機の上面側が「上」で、下面側が「下」を意味し、「左右」とは遊技機を遊技する遊技者の左手側が「左」を意味し、右手側が「右」を意味する。
【００１６】
［遊技機の全体構成］
本発明の実施形態に係る遊技機としてのスロットマシン１の全体構成について、図１及び図２を用いて説明する。本実施形態のスロットマシン１は回胴式遊技機と呼ばれるもので、遊技媒体としてメダルを用いて遊技を行う種類の遊技機である。図１に示すように、スロットマシン１は、六面体構造のうち遊技者に対向する前面（正面）が開口した木製の筐体１０と、開口した筐体１０の前面を開閉可能に覆う前扉５０とを備えている。筐体１０の内部には、図２に示すように、複数のリールとしての第１リールＲ１〜第３リールＲ３を備えたリールユニット３０が収められている。また、リールユニット３０の下部には、メダルの払出装置としてのホッパーユニット２０が収められている。
【００１７】
第１リールＲ１〜第３リールＲ３は、それぞれ外周面が一定の間隔で２１の領域（以下、各領域を「コマ」と記載する）に区画されており、各コマに複数種類の図柄のいずれかが配列されている。第１リールＲ１〜第３リールＲ３は、リールを駆動させるアクチュエータとしての第１ステッピングモータ〜第３ステッピングモータに軸支されており、それぞれステッピングモータの軸周りに回転駆動され、ステッピングモータの駆動パルスのパルス数やパルス幅などを制御することによって、コマ単位（所定の回転角度単位、所定の回転量単位）で停止可能に設けられている。
【００１８】
上記リールユニット３０の上方の筐体１０の背面板１０ａには、前扉５０の裏側に配設された副制御基板ユニット（不図示）と共に遊技機の制御基板を構成する主制御基板ユニット４１が配設されている。主制御基板ユニット４１は、ＣＰＵ、ＲＯＭ、ＲＡＭ等を搭載し、遊技を実行するための各種の演算を行って上記リールユニット３０や、ホッパーユニット２０等の動作を制御する。さらに、筐体１０の高さ方向と直交する幅方向において、上記主制御基板ユニット４１の隣には、主制御基板ユニット４１から出力された信号を中継する中継基板ユニット４２が配設されており、この中継基板ユニット４２を介して主制御基板ユニット４１はリールユニット３０やホッパーユニット２０等の他ユニットや他の基板などと各種信号を送受信可能に接続される。本実施形態では、中継基板ユニット４２が被固定部材である筐体１０の背面板１０ａに装着可能に設けられている。これら主制御基板ユニット４１及び中継基板ユニット４２については後述する（後述の図３乃至図６参照）。
【００１９】
前扉５０は、扉の上部、中央上部、下部にそれぞれ、演出用の絵柄や配当表などを表示する上パネル５７、中央パネル５２、下パネル５５が設けられている。そのうちの中央パネル５２には、遊技者等による第１リールＲ１〜第３リールＲ３の回転状態及び停止状態を観察可能にする表示窓５１が設けられている。例えば第１リールＲ１〜第３リールＲ３の停止状態では、第１リールＲ１〜第３リールＲ３それぞれの外周面に一定間隔で配列された複数種類の図柄のうち、外周面上に連続して配列されている３つの図柄（上段図柄、中段図柄、下段図柄）を、遊技者等がスロットマシン１の正面から表示窓５１を通じて観察することができる。
【００２０】
本実施形態のスロットマシン１では、遊技者等が表示窓５１を通じて図柄を観察するための表示位置として、各リールについて上段、中段、下段が設けられており、各リールの表示位置の組合せ（本実施形態では中段一列）によって有効ラインＬｆが設定されている。なお、本実施形態のスロットマシン１では、１回の遊技に関して必要となるメダルの数、いわゆる規定投入数が３枚に設定され、規定投入数に相当するメダルが投入されると第１リールＲ１〜第３リールＲ３の中段によって構成される有効ラインＬｆが有効化される。
【００２１】
中央パネル５２には、第１リールＲ１〜第３リールＲ３の停止順序（以下、打順ともいう）を報知する第１ナビランプＮＬ１〜第３ナビランプＮＬ３が表示窓５１の上方に設けられている。第１リールＲ１〜第３リールＲ３にそれぞれ対応する第１ナビランプＮＬ１〜第３ナビランプＮＬ３が点灯することによって、遊技者に打順を報知するようになっている。また、中央パネル５２の表示窓５１の下方には、ＬＥＤ、ランプ、７セグメント表示器等からなる遊技情報表示部ＤＳが設けられている。遊技情報表示部ＤＳにはメダルのクレジット数、１回の遊技におけるメダルの払出数あるいは獲得数、今回の遊技で当選した役の情報に係る報知表示、有利期間等の各種遊技情報が表示されるようになっている。
【００２２】
前扉５０は、下パネル５５が設けられる扉下部分５３が中央パネル５２のパネル面よりも前方に突出して設けられ、下パネル５５の上方には各種の操作手段が設けられている。操作手段としては、クレジット（貯留）されたメダルを投入する操作を行うための投入操作手段として、１枚のメダルを投入するシングルベットボタンＢＴ及び規定投入数のメダルを投入するマックスベットを実行するマックスベットボタンＭＢ、第１リールＲ１〜第３リールＲ３を回転させて遊技を開始する契機となる開始操作を遊技者に実行させるための遊技開始操作手段としてのスタートレバーＳＬ、第１ステッピングモータ〜第３ステッピングモータにより回転駆動されている第１リールＲ１〜第３リールＲ３のそれぞれを停止させる契機となる停止操作を遊技者に実行させるための停止操作手段としてのストップボタンＢ１〜ストップボタンＢ３及びクレジットされたメダルを精算するための精算ボタンＢＳが設けられている。
【００２３】
扉下部分５３には、遊技者がメダルを投入するメダル投入口５６が設けられている。このメダル投入口５６から投入されたメダルは、扉下部分５３の裏側に設けられたセレクタ（不図示）によってカウントされてホッパーユニット２０へと案内される。ホッパーユニット２０へ案内されたメダル、つまり遊技者により投入されたメダルはホッパーユニット２０に貯留され、ホッパーユニット２０に貯留されたメダルは払い出し時に払い出される。
【００２４】
本実施形態のスロットマシン１では、遊技者がメダルをメダル投入口５６に投入するか、メダルが規定投入数以上にクレジットされている場合に、シングルベットボタンＢＴを規定投入数と同じ回数押下する操作を行う又はマックスベットボタンＭＢを押下する操作を行うことで、第１リールＲ１〜第３リールＲ３の回転制御を開始することが可能な準備状態にセットされる。そして、遊技者がスタートレバーＳＬを押下、つまり遊技者がスタートレバーＳＬに対して開始操作を実行すると、主制御基板ユニット４１において乱数値を用いた内部抽選が行われた後に第１リールＲ１〜第３リールＲ３をステッピングモータの駆動により回転開始させ、第１リールＲ１〜第３リールＲ３の回転速度が所定の速度まで上昇し定常回転になったことを条件に、ストップボタンＢ１〜ストップボタンＢ３の押下操作が許可、即ちストップボタンＢ１〜ストップボタンＢ３による停止操作が有効化される。
【００２５】
その後、遊技者が任意のタイミングでストップボタンＢ１〜ストップボタンＢ３を押下（以下、「押下タイミング」と記載）し、遊技者が任意のタイミングで押下状態にあるストップボタンＢ１〜ストップボタンＢ３を解放すると、ストップボタンＢ１〜ストップボタンＢ３のそれぞれに対応するストップスイッチがオフ動作を行い、主制御基板ユニット４１へ出力するリール停止信号をオン状態からオフ状態に変化させる。
【００２６】
そして、主制御基板ユニット４１は、ストップボタンＢ１〜ストップボタンＢ３の押下タイミング及び解放タイミングに応じて信号状態が変化するリール停止信号のオフ状態からオン状態への変化に基づいて、内部抽選の結果に応じた停止位置で第１リールＲ１〜第３リールＲ３を停止させる。
【００２７】
また、主制御基板ユニット４１は、第１リールＲ１〜第３リールＲ３を停止させた後に、有効ラインＬｆ上に停止している図柄の組合せに応じて各種処理を実行する。主制御基板ユニット４１が実行する各種処理としては、例えば、有効ラインＬｆ上に停止している図柄の組合せが複数種類の役のうち入賞した図柄の組合せがメダルの払い出しを伴う役である小役の図柄組合せである場合、つまり小役が入賞した場合には、入賞した小役に設定されている配当に基づきホッパーユニット２０からメダルを払い出す払出処理や、有効ラインＬｆ上に停止している図柄の組合せが複数種類の役のうち遊技者にメダルを消費させることなく一回遊技を実行可能にする役であるリプレイの図柄組合せである場合には、今回の遊技における規定投入数のメダルを投入状態に設定するリプレイ処理等がある。
【００２８】
扉下部分５３の下部には、メダル払出口５９とメダル受け皿６０とが設けられており、遊技結果に応じた枚数のメダルがメダル払出口５９からメダル受け皿６０へ払い出されるようになっている。また、例えば、遊技機内にクレジットされたメダルが記憶されている状態で、精算ボタンＢＳが押下された場合、精算ボタンＢＳの押下に伴ってホッパーユニットからクレジット数（クレジットされたメダルの枚数）に相当する枚数のメダルを払い出す精算処理を実行し、メダル払出口５９からメダル受け皿６０へメダルを払い出す。
【００２９】
前扉５０には、遊技を盛り上げるために音響装置（６１Ｌ，６１Ｒ，６２Ｌ，６２Ｒ）や、ランプ装置（６３，６５，６７Ｌ，６７Ｒ）などの複数の演出装置が設けられている。具体的には、前扉５０の上部及び下部の左右端部には、それぞれ上部スピーカー６１Ｌ，６１Ｒ及び下部スピーカー６２Ｌ，６２Ｒが設けられており、遊技を補助したり、遊技を盛り上げたりするための各種の音声が出力される。
【００３０】
前扉５０の上部には、演出用役物としてアーチランプ６３及び回転灯６５が設けられている。アーチランプ６３は、左右の上部スピーカー６１Ｌ，６１Ｒの間に配置されており、レンズユニットが前方に向かって湾曲して構成されている。回転灯６５は、上記アーチランプ６３の下方でかつ上パネル５７の前面に設けられており、光源の周りを回転部材が回転する回転灯装置によって構成されている。前扉５０の側端部には、左右のサイドランプ６７Ｌ，６７Ｒが設けられており、これら左右のサイドランプ６７Ｌ，６７Ｒは、扉下部分５３の側方から上部スピーカー６１Ｌ，６１Ｒの側方まで、前扉５０の上下方向略全長に亘って延設されている。これらアーチランプ６３、回転灯６５及びサイドランプ６７Ｌ，６７Ｒ等のランプ装置は、遊技に合わせて点灯して演出用の照明装置として機能したり、遊技に係る情報を遊技者に報知する報知装置として機能する。
【００３１】
［主制御基板ユニット］
次に、主制御基板ユニット４１及び中継基板ユニット４２について、図３乃至図６を用いて説明する。図３や図４に示すように、第一基板ユニットとしての主制御基板ユニット４１は、メイン基板８０と、収納ケース４３と、取付ベース４４とを有している。メイン基板８０は、所定の回路パターンがプリントされたプリント基板である。メイン基板８０には、図示を省略したが、内部抽選、リールの回転や停止、メダルの払い出しなどの処理を行う遊技制御プログラムや各種データ等を記憶したＲＯＭ、抽選データ等を一時的に記憶するＲＡＭ、各種プログラムを実行して制御を行うＣＰＵなどの多数の電子部品、また各種信号を伝送可能な信号用ケーブルを接続するコネクタなどが実装されている。
【００３２】
収納ケース４３は、例えば樹脂製の透明な二枚のケース体が組み合わされて形成されたものであり、図４に示すように、収納ケース４３は、その内部にメイン基板８０を収納できるようになっている。収納ケース４３にメイン基板８０が収納されることによって、メイン基板８０に対し外部から不正にアクセスできないようにしている。また、仮にメイン基板８０に対し不正アクセスされたとしても、収納ケース４３に不正アクセスの痕跡が残るように、収納ケース４３の内部は外部と遮断されている。収納ケース４３は、取付ベース４４に取り付けられている。
【００３３】
取付ベース部材としての取付ベース４４には、主制御基板ユニット４１を背面板１０ａに固定するために、ねじを取り付ける取付部が形成される。図５に示すように、取付ベース４４には、ねじの取付部としてボス部４４ｂが主に四隅を中心に適度な間隔を保ってバランスよく配置されている。ねじを取り付けるが故に、ボス部４４ｂは収納ケース４３内のメイン基板８０（図４参照）と重ならないようにメイン基板８０を避けた位置に形成されている。本実施形態では、メイン基板８０を囲む位置に七個のボス部４４ｂが形成されている。なお、ボス部４４ｂの配置位置や個数は、収納ケース４３に収容されたメイン基板８０の大きさや形状等によって変わり得る。
【００３４】
主制御基板ユニット４１は前面からねじ止めされて、筐体１０の背面板１０ａに確実に固定される。こうすると、主制御基板ユニット４１は背面板１０ａから簡単に取り外すことが難しくなり、主制御基板ユニット４１ごと取り外されることによるメイン基板８０への不正アクセスを防止できる。
【００３５】
［中継基板ユニット］
他方、第二基板ユニットとしての中継基板ユニット４２は、図３及び図４に示すように、中継基板４５と、中継基板ケース４６とを有している。中継基板４５は、例えば照明用のＬＥＤを搭載した基板、ディスプレイ用の基板、スピーカー等が接続される基板、外部への信号の出力用の基板などの各種基板と、上記したメイン基板８０との間で信号の送受信を可能にする信号中継用の基板である。中継基板４５には、各種信号を伝送可能な信号用ケーブルを接続するコネクタ４５ａが多数実装されている。
【００３６】
中継基板ケース４６は例えば樹脂製であり、図４に示すように、前面に向けられる面の裏側に中継基板４５が取り付けできるようになっている。本実施形態では、二枚の中継基板４５が取り付けられている。そして、中継基板ケース４６には、中継基板４５に実装されているコネクタ４５ａを前面に露出させるため、中継基板４５のコネクタ４５ａを嵌め込む貫通孔が形成されている。
【００３７】
これら主制御基板ユニット４１と中継基板ユニット４２とは、図３及び図４に示すように、互いに隣接するように配設される。上述したように、主制御基板ユニット４１は、ボス部４４ｂがバランスよく配置された取付ベース４４を介してねじ止めされることで、背面板１０ａに確実に固定されている。
【００３８】
これに対し、中継基板ユニット４２に関しても背面板１０ａに確実に固定するためには、中継基板ケース４６にねじを取り付けるためのボス部をバランスよく配置してねじ止めできるようにするのが好ましい。しかしながら、既に述べたように、背面板１０ａにおける主制御基板ユニット４１及び中継基板ユニット４２を配設可能な領域には限りがあり、ねじの取付部を確保するために中継基板ケース４６を大きくすることが難しい。かといって、従来のようにねじの取付部を中継基板４５を避けた位置に確保してねじ止めするだけでは、中継基板ユニット４２を確実に固定することは難しい。
【００３９】
本実施形態では上記点に鑑み、ねじの取付部を十分に確保することが難しい中継基板ユニット４２を背面板１０ａに固定する場合に、背面板１０ａに固定した主制御基板ユニット４１を利用することで、コンパクト且つ確実に固定できるようにしている。以下、それを実現するための構成について説明する。
【００４０】
主制御基板ユニット４１には、図５に示すように、中継基板ユニット４２と隣接する一方の端部４１ａ側に、被係合部としての凹み部４４ａが形成されている。具体的に、凹み部４４ａは、主制御基板ユニット４１の端部４１ａの一部が中継基板ユニット４２に隣接しない他方の端部４１ｂ側に向けて凹んだ形状となるように、取付ベース４４に形成されている。本実施形態の場合、二個の凹み部４４ａが互いに離間されて形成されている。
【００４１】
他方、中継基板ユニット４２の中継基板ケース４６には、図６に示すように、主制御基板ユニット４１と隣接する一方の端部４２ａ側に、上記の凹み部４４ａに係合可能な係合部としての突条部４６ａが形成されている。突条部４６ａは、中継基板ユニット４２の一方の端部４２ａから挿入方向（一方向、ここでは主制御基板ユニット４１側）に向けて突出した形状に形成されている。そして、これとは別に、中継基板ケース４６には、係着部材としてのねじ９０（図３及び図４参照）を取り付け可能なねじ取付部４６ｂが形成されている。ねじ取付部４６ｂは図４に示すように、中継基板ケース４６の裏面に取り付けられている二枚の中継基板４５を避けて、できる限り主制御基板ユニット４１から離れた位置に形成される。
【００４２】
中継基板ユニット４２の筐体１０の背面板１０ａへの固定方法について説明する。図４に示すように、中継基板ユニット４２が図４の図面下側から上側へ向かう挿入方向にスライド移動されると、中継基板ケース４６の突条部４６ａが主制御基板ユニット４１の凹み部４４ａに挿入される。そして、さらなる中継基板ユニット４２のスライド移動に応じて突条部４６ａが凹み部４４ａに突き当たり係合状態になると、中継基板ユニット４２のそれ以上の挿入方向への移動が規制される。挿入方向への移動が規制された状態では、中継基板ユニット４２が主制御基板ユニット４１に隣接する所定位置に位置づけられる。所定位置に位置づけられた中継基板ユニット４２は、ねじ取付部４６ｂに取り付けられるねじ９０によって背面板１０ａにねじ止めされて、主制御基板ユニット４１に対し移動不能に固定される。
【００４３】
以上のように、中継基板ユニット４２はねじ取付部４６ｂを有し、ねじ取付部４６ｂに取り付けられるねじ９０によって背面板１０ａにねじ止めされる。これに加えて、中継基板ユニット４２は主制御基板ユニット４１に隣接する一方の端部４２ａ側に突条部４６ａを有し、突条部４６ａが主制御基板ユニット４１の凹み部４４ａに挿入される。つまり、主制御基板ユニット４１により中継基板ユニット４２の一部が固定される。こうして、中継基板ユニット４２はねじ９０に加えて、主制御基板ユニット４１を利用して背面板１０ａに固定される。こうすると、中継基板ユニット４２にねじ９０を取り付ける取付部を十分に確保することができず、ねじ９０だけでは中継基板ユニット４２を確実に固定し難い場合であっても、ねじ９０と主制御基板ユニット４１との協働により、中継基板ユニット４２は背面板１０ａにコンパクト且つ確実に固定され得る。
【００４４】
なお、ねじ取付部４６ｂは図３に示すような位置に形成されることに限られず、中継基板４５を避けて、且つ、突条部４６ａと凹み部４４ａとが係合した状態で、主制御基板ユニット４１とねじ９０とが協働して中継基板ユニット４２を確実に固定できる位置であれば、どの位置に形成されてもよい。ただし、ねじ取付部４６ｂは中継基板ユニット４２の背面板１０ａへの取付後のバランスを考慮して、できる限り主制御基板ユニット４１から離れた位置として、突条部４６ａから中継基板４５を挟んで離間された位置に形成されるのが好ましい。
【００４５】
なお、上述した実施形態では、主制御基板ユニット４１に被係合部としての凹み部４４ａを、中継基板ユニット４２に係合部としての突条部４６ａを形成した場合を示したが、これに限られない。例えば、主制御基板ユニット４１に係合部として凸部を形成し、中継基板ユニット４２に被係合部として主制御基板ユニット４１の凸部に係合可能な凹部を形成しておき、これらを係合させることによって、主制御基板ユニット４１により中継基板ユニット４２の一部を固定させてもよい。
【００４６】
また、中継基板ユニット４２において、図４に示した突条部４６ａの主制御基板ユニット４１側の先端部を背面板１０ａとは反対向きに直角に折り曲げるようにして立設させることにより、突条部４６ａを鉤状に形成する一方で、主制御基板ユニット４１において、鉤状に形成された突条部４６ａの先端部を係合可能に凹み部４４ａを形成してもよい。ただし、この場合には中継基板ユニット４２に対し主制御基板ユニット４１が図４の図面左側から右側へ向かう挿入方向にスライド移動される。これにより、主制御基板ユニット４１の凹み部４４ａと中継基板ケース４６の突条部４６ａの先端部とが係合し、主制御基板ユニット４１と中継基板ユニット４２とは互いに隣接する所定位置に位置づけられる。所定位置に位置づけられた中継基板ユニット４２は、ねじ取付部４６ｂに取り付けられるねじ９０によって背面板１０ａにねじ止めされて、主制御基板ユニット４１に対し移動不能に固定される。
【００４７】
また、上述した実施形態では、筐体１０の高さ方向と直交する幅方向において、中継基板ユニット４２が主制御基板ユニット４１に隣接されて配設された場合を示したが、これに限られない。例えば、中継基板ユニット４２は筐体１０の高さ方向において主制御基板ユニット４１に隣接して配設された場合でも、本発明を適用することは可能である。さらに、中継基板ユニット４２を主制御基板ユニット４１に隣接させて配設する場合に限られず、中継基板ユニットを副制御基板ユニット（不図示）に隣接させて配設する場合や、複数の中継基板ユニット４２を互いに隣接させて配設する場合などにも、本発明は適用可能である。また、中継基板ユニット４２に限られず、例えば照明用のＬＥＤを搭載した基板を実装したＬＥＤ基板ユニット、ディスプレイ用の基板を実装した液晶基板ユニット、あるいはスピーカー等が接続される基板を実装した音響基板ユニットなど、各種基板ユニットを配設する場合にも本発明は適用可能である。さらに、これらが固定されるのは、筐体１０の背面板１０ａに限られず、例えば前扉５０（図１参照）の背面や筐体１０の側面板などの被固定部材であってよい。
【００４８】
そして、上述した実施形態では遊技機の一例であるスロットマシン１を例に説明したが、これに限られず、上述したような各種の基板ユニットが隣接して配設される例えばパチンコ機などの他の遊技機であっても、本発明を適用することができる。パチンコ機に適用する場合、例えば遊技球を発射させるための制御及び賞球を払い出すための制御を行う払出・発射制御基板ユニットを、遊技の進行を制御する主制御基板ユニットに隣接させて、被固定部材としての遊技盤に配設する場合などに、本発明は適用可能である。
【００４９】
なお、上述したスロットマシン１では前扉５０を分離不能に一体に構成したものを示したが、これに限られず、前扉５０を上扉ユニットと下扉ユニットとに上下に分離して構成し、これら上扉ユニットと下扉ユニットとを別個に開閉可能に構成したものであってもよい。また、スロットマシン１の筐体１０は必ずしも木製に限らず、例えば樹脂製であってもよい。さらに、本実施形態では、遊技機の制御基板を、主制御基板ユニット４１と演出装置を制御する副制御基板ユニットとに分離し、主制御基板ユニット４１から副制御基板ユニットへの単方向通信のみを可能に構成したものを示したが、これに限られず、主制御基板ユニット４１と副制御基板ユニットとが一体に構成されたものであってもよい。
【符号の説明】
【００５０】
１・・・スロットマシン（遊技機）、１０ａ・・・背面板（被固定部材）、４１・・・主制御基板ユニット（第一基板ユニット）、４２・・・中継基板ユニット（第二基板ユニット）、４３・・・収納ケース、４４・・・取付ベース（取付ベース部材）、４４ａ・・・凹み部（被係合部）、４６ａ・・・突条部（係合部）、８０・・・メイン基板（基板）、９０・・・ねじ（係着部材）
【図１】
2018161406.tif 000003
【図２】
2018161406.tif 000004
【図３】
2018161406.tif 000005
【図４】
2018161406.tif 000006
【図５】
2018161406.tif 000007
【図６】
2018161406.tif 000008